(57)【要約】【課題】  臨場感のある遠隔会議を実現できると共に、複数の参加者の間で議論が行われた場合にも、議論中の参加者の視認が容易な遠隔会議システムを提供する。【解決手段】  音声処理モジュール１３は、各参加者の音声データを入力し、音声レベル測定手段３１は、各参加者の音声データから、各参加者の音声レベルを測定する。音声処理モジュール１３は、発言中の参加者について、その参加者を特定する情報と、音声レベルに関する情報とを画像処理モジュール１４に入力する。画像処理モジュール１４は、モニタ２０に、発言中の参加者が、所定期間、その発言の音声レベルに応じた拡大率で表示されるようにする表示画面データを出力する。【選択図】    図１
2005151002.tif 000002
【特許請求の範囲】
【請求項１】
それぞれが音声入力装置、撮像装置、音声出力装置および映像表示装置を有する３以上の端末装置を備え、通信回線を介して前記端末装置を相互に接続して音声データおよび画像データを相互に送受信する遠隔会議システムにおいて、
前記端末装置のそれぞれは、他の端末装置から受信した音声データの音声レベルを測定するレベル測定手段と、前記画像データのそれぞれに対応する音声データの音声レベルに依存する拡大率を設定する拡大率設定手段とを備え、
前記映像表示装置は、他の端末装置から受信した音声データの音声レベルが上昇すると、前記拡大率設定手段で新たに設定された拡大率で対応する画像データを表示し、音声データの音声レベルが下降すると、該音声レベルが下降した時刻から所定時間経過後に、前記拡大率設定手段で新たに設定された拡大率で画像データを表示することを特徴とする遠隔会議システム。
【請求項２】
前記映像表示装置は、最後に音声レベルが上昇した音声データに対応する画像データを最前面に表示する、請求項１に記載の遠隔会議システム。
【請求項３】
前記端末装置のそれぞれは、自身が送信する画像データの画像の拡大表示を禁止し又は拡大率を指定するための制御情報を他の端末に向けて送信する、請求項１又は２に記載の遠隔会議システム。
【請求項４】
前記端末装置のそれぞれは、他の端末から受信した画像データの画像の拡大表示を禁止し又は拡大率を制御する、請求項１〜３の何れか一に記載の遠隔会議システム。
【請求項５】
前記映像表示装置は、受信した画像データの一部を抜き出して拡大表示する、請求項１〜４の何れか一に記載の遠隔会議システム。
【発明の詳細な説明】
【技術分野】
【０００１】
本発明は、遠隔会議システムに関し、更に詳しくは、映像信号及び音声信号をネットワークを介して送受信する遠隔会議システムに関する。
【背景技術】
【０００２】
テレビ会議システム等の遠隔コミュニケーションシステム（遠隔会議システム）では、複数の参加者の映像及び音声がネットワークを介して送受信され、各参加者は、他の参加者の映像を表示画面上で確認しながらコミュニケーションをとる。このような遠隔会議システムは、例えば、各参加者のパーソナルコンピュータに、カメラ等の撮像装置、マイク等の音声入力装置、ディスプレイ等の映像表示装置、及び、スピーカ等の音声出力装置を接続して実現できる。遠隔会議システムは、サーバ・クライアント方式で実現でき、或いは、ピアｔｏピア方式で実現できる。
【０００３】
遠隔会議システムがクライアント・サーバ方式で構成される場合には、遠隔会議システムを実現するための遠隔会議サーバは、各参加者が使用するクライアント端末から送信された映像信号及び音声信号を、インターネット等のネットワークを介して受信し、各クライアント端末に、受信した他の参加者についての映像及び音声を送信する。これとは異なり、遠隔会議システムがピアｔｏピアで構成されるときには、各参加者が使用するクライアント端末は、他の参加者が使用するクライアント端末との間で、サーバを介さずに映像信号及び音声信号を送受信する。
【０００４】
遠隔会議では、通常、同じ画面上に、複数の参加者が領域を分けて表示される。例えば表示画面上に表示される参加者が４人であれば、表示画面が４分割され、分割された各領域には１人の参加者が割り当てられる。一般的な会議では、発言中の参加者があるときには、他の参加者は、誰が発言中であるのかを容易に把握することができる。しかし、遠隔会議システムでは、一般的には、表示画面上に表示される参加者の映像は同じ大きさであるため、特に参加者が多いときには、各参加者の映像は小さく、現在、誰が発言中であるのかがわかりにくいものとなり、会議が臨場感に欠けるものとなることが多い。
【０００５】
遠隔会議システムにおいて、会議に臨場感を与える技術としては、例えば特許文献１や、特許文献２に記載された技術がある。例えば、特許文献１では、サーバは、各参加者から受信した音声信号から音声のレベルを測定して発言中の参加者を特定し、その参加者の映像を、他の参加者のクライアント端末の表示画面上に拡大表示する。その際、発言中の参加者の映像を拡大表示する際の拡大率を、測定した発言者の音声レベルに基づいて決定している。
【特許文献１】特開平５−１０３３２４号公報
【特許文献２】特開平９−２６１６０８号公報
【発明の開示】
【発明が解決しようとする課題】
【０００６】
特許文献１では、発言中の参加者の映像を、他の参加者に比して大きく表示することで、会議に臨場感を与えている。しかし、特許文献１では、例えば複数の参加者の間で議論が行われているような場合には、拡大表示される参加者の映像がめまぐるしく入れ替わって、現在どの参加者が議論を行っているのかを把握しにくいという問題がある。
【０００７】
本発明は、上記問題点を解消し、臨場感のある遠隔会議を実現できると共に、複数の者の間で議論が行われた場合にも、議論をしている参加者の視認が容易な遠隔会議システムを提供することを目的とする。
【課題を解決するための手段】
【０００８】
上記目的を達成するために、本発明の遠隔会議システムは、それぞれが音声入力装置、撮像装置、音声出力装置および映像表示装置を有する３以上の端末装置を備え、通信回線を介して前記端末装置を相互に接続して音声データおよび画像データを相互に送受信する遠隔会議システムにおいて、前記端末装置のそれぞれは、他の端末装置から受信した音声データの音声レベルを測定するレベル測定手段と、前記画像データのそれぞれに対応する音声データの音声レベルに依存する拡大率を設定する拡大率設定手段とを備え、前記映像表示装置は、他の端末装置から受信した音声データの音声レベルが上昇すると、前記拡大率設定手段で新たに設定された拡大率で対応する画像データを表示し、音声データの音声レベルが下降すると、該音声レベルが下降した時刻から所定時間経過後に、前記拡大率設定手段で新たに設定された拡大率で画像データを表示することを特徴とする。
【０００９】
本発明の遠隔会議システムでは、端末装置を使用する参加者（ユーザ）の音声データから測定された音声レベルに応じて、映像表示装置の表示画面中に表示されるユーザの画像データの拡大率が設定されるため、例えば音声レベルが大きいユーザほど拡大率を高く設定することで、臨場感のある遠隔会議を実現できる。また、ユーザの音声レベルが低下する方向に変化した際には、そのユーザの画像データは、音声レベルが低下してから、所定期間が経過するまでは、低下する前の音声レベルに応じた拡大率で表示され、所定時間が経過した後に、低下した音声レベルに応じた拡大率で表示される。このため、例えば複数のユーザ間で議論が行われたときには、映像表示装置には、複数のユーザがそれぞれの音声レベルに応じた拡大率で表示されることとなり、各ユーザは、現在、誰と誰とが議論中であるのかを、容易に視認することができる。所定時間としては、例えば１〜２分程度が挙げられ、遠隔会議システムの使用状況に応じて、任意に任意可能である。
【００１０】
本発明の遠隔会議システムでは、前記映像表示装置は、最後に音声レベルが上昇した音声データに対応する画像データを最前面に表示することが好ましい。この場合、各ユーザは、誰が最終発言者であるのかを容易に視認できる。
【００１１】
本発明の遠隔会議システムでは、前記端末装置のそれぞれは、自身が送信する画像データの画像の拡大表示を禁止し又は拡大率を指定するための制御情報を他の端末に向けて送信する構成を採用することができる。この場合、例えば遠隔会議に司会者は、自身の映像を、他のユーザの映像表示装置上に同じサイズで表示させることができる。
【００１２】
本発明の遠隔会議システムでは、前記端末装置のそれぞれは、他の端末から受信した画像データの画像の拡大表示を禁止し又は拡大率を制御する構成を採用することができる。この場合、各ユーザは、自身が使用する映像表示装置上に表示される他のユーザの映像データの表示サイズ等を任意にカスタマイズできる。
【００１３】
本発明の遠隔会議システムでは、前記映像表示装置は、受信した画像データの一部を抜き出して拡大表示する構成を採用することができる。画像データの拡大は、映像表示装置上に表示される画像サイズを単純に、拡大縮小することで行うことができ、或いは、これに代えて、又は、加えて、画像データの一部を抜き出して、その抜き出した範囲を拡大することで行うことができる。
【発明の効果】
【００１４】
本発明の遠隔会議システムは、音声データから測定された音声レベルに応じて、画像データの拡大率が設定されるため、臨場感のある遠隔会議を実現できる。また、映像表示装置は、音声データの音声レベルが下降すると、音声レベルが下降した時刻から所定時間経過後に、拡大率設定手段で新たに設定された拡大率で画像データを表示するため、例えば遠隔会議において複数の者の間で議論が行われている場合に、その会議の参加者は、誰が議論に参加しているのかを容易に視認することができる。
【発明を実施するための最良の形態】
【００１５】
以下、図面を参照し、本発明の実施形態例に基づいて、本発明を更に詳細に説明する。図１は、本発明の一実施形態例の遠隔会議システムの構成を示している。本発明の遠隔会議システムは、複数人数が参加する音声映像付きの通信コミュニケーションシステムであり、例えば複数人で通話を行うテレビ電話や、テレビチャットに適用できる。または、通信制の英語教育のような遠隔教育システムにも適用できる。同図では、遠隔会議システムは、ピアｔｏピアの遠隔会議システム１００として構成され、遠隔会議システム１００は、ネットワーク２１に接続された複数のクライアント端末１０を有する。
【００１６】
各クライアント端末１０は、入出力インターフェース１２、音声処理モジュール１３、画像処理モジュール１４、入力インターフェース１５、及び、出力インターフェース１６を含むコンピュータ１１と、そのコンピュータ１１に接続されたマイク１７、カメラ１８、スピーカ１９、及び、モニタ２０とを備える。音声処理モジュール１３は、音声レベル測定手段３１を備え、画像処理モジュール１４は、拡大率設定手段４１及び画面作成手段４２を備える。入力インターフェース１５は、マイク１７から、参加者の音声を入力し、カメラ１８から、参加者の映像を入力する。入力インターフェース１５は、マイク１７から入力した音声を音声処理モジュール１３に入力し、カメラ１８から入力した映像を画像処理モジュール１４に入力する。
【００１７】
音声処理モジュール１３は、入力された音声をデジタル化し、自身を発信元として、デジタル化された音声データを、入出力インターフェース１２を介して他のクライアント端末１０に送信する。画像処理モジュール１４は、自身を発信元として、入力された映像データを、入出力インターフェース１２を介して他のクライアント端末１０に送信する。入出力インターフェース１２は、他のクライアント端末１０から、他の参加者の映像及び音声を受信する。入出力インターフェース１２が受信した、他のクライアント端末１０からの音声は、音声処理モジュール１３に入力され、他のクライアント端末１０からの映像は画像処理モジュール１４に入力される。
【００１８】
音声処理モジュール１３は、他の参加者の音声データが入力されると、デジタル化されている音声データをアナログに変換し、音声レベル測定手段３１によって、各参加者についての音声データの振幅（音声レベル）を測定する。また、音声処理モジュール１３は、アナログ変換された音声データを、出力インターフェース１６を介してスピーカ１９に出力する。音声処理モジュール１３は、音声レベル測定手段３１によって測定した音声レベルから、発言中の参加者の有無を判断し、発言中の参加者があるときには、その参加者を識別する情報と、測定された音声レベルとを画像処理モジュール１４に送信する。
【００１９】
画像処理モジュール１４は、画面作成手段４２によって、各参加者の映像がモニタ２０の表示画面上に表示されるような表示画面データを作成し、作成した表示画面データを、出力インターフェースを介してモニタ２０に出力する。画像処理モジュール１４は、音声処理モジュール１３から、発言中の参加者を識別する情報、及び、その参加者の音声レベルを受信するときには、モニタ２０上に、音声レベルに応じて、所定時間だけ、発言者の映像が、発言していない参加者の映像に比して大きく表示されるような表示画面データを作成する。画像処理モジュール１４では、拡大率設定手段４１によって発言中の参加者の映像の拡大率が決定される。画像処理モジュール１４は、発言者の音声レベルが高いほど、その発言者の映像を拡大してモニタ２０上に表示し、発言者を強調表示する。
【００２０】
画像処理モジュール１４が出力する表示画面データは、クライアント端末１０を使用する参加者によって、カスタマイズ可能であり、各参加者は、自身のクライアント端末１０の表示画面中での各参加者の表示位置や表示サイズ、或いは、音声レベルに応じて拡大する際の拡大率を任意に設定できる。ただし、例えば遠隔会議の司会者や、遠隔教育の講師などの特定の参加者は、自身の映像を、各クライアント端末１０の表示画面中の固定した位置に固定した映像サイズで表示させたい場合には、表示位置や表示サイズの変更を禁止する旨の信号を各クライアント端末１０に向けて送信することができるものとし、特定の参加者が、自身の映像の表示位置や表示サイズの変更を禁止する旨の信号を送信するときには、各参加者は、特定の参加者については表示位置や表示サイズを任意に設定できないものとする。
【００２１】
図２は、音声処理モジュール及び画像処理モジュールの処理手順例を示している。音声処理モジュール１３及び画像処理モジュール１４は、コンピュータ１１内において別スレッドで起動される。各クライアント端末１０では、音声処理モジュール１３は、何れかの参加者の音声が入力されるまで処理を待機し、処理開始を待つ（ステップＳ１１）。自身を含む何れかの参加者から、入出力インターフェース１２又は入力インターフェース１５を介して音声データが入力されると、音声処理モジュール１３は、音声レベル測定手段３１によって、音声データを出力している参加者ごとに、その音声レベルを測定する（ステップＳ１２）。
【００２２】
音声処理モジュール１３は、測定した音声レベルから、発言中の参加者の有無を判断し、発言中の参加者があるときには、その参加者を識別する情報と、その参加者の音声レベルとを、画像処理モジュール１４に送信する（ステップＳ１３）。ステップＳ１３では音声処理モジュール１３は、例えば参加者ごとにあらかじめ設定された音声レベルを超えたときに、その参加者が発言中であると判断する。音声処理モジュール１３は、出力インターフェース１６を介して、スピーカ１９に音声信号を送信して、音声を出力する（ステップＳ１４）。
【００２３】
各クライアント端末１０では、画像処理モジュール１４は、音声処理モジュール１３のステップＳ１１と同様に、何れかの参加者の映像が入力されるまで処理を待機し、処理開始を待つ（ステップＳ２１）。自身を含む何れかの参加者から、入出力インターフェース１２又は入力インターフェース１５を介して映像データが入力されると、画像処理モジュール１４は、画面作成手段によって、各参加者の映像が同じ大きさでモニタ上に表示されるような表示画面データを作成する（ステップＳ２２）。ステップＳ２２で作成される表示画面データ中での各参加者の映像の映像サイズは、例えば発言中でないときの音声レベル（レベル０）に応じた拡大率に対応する映像サイズである。
【００２４】
図３（ａ）〜（ｃ）は、それぞれ、ステップＳ２２で作成される表示画面データの例を示している。各参加者の映像表示領域は、所定の幅を有するフレームで囲まれている。ステップＳ２２では、画像処理モジュール１４は、例えば、参加者が４人であるとすると、参加者Ａ〜Ｄの映像が、同図（ａ）に示すように縦一列に同じ大きさで表示されるような表示画面データ、或いは、同図（ｂ）に示すように横一列に同じ大きさで表示されるような表示画像データを作成する。または、例えば参加者が１６であるとき、参加者Ａ〜Ｐの映像が、同図（ｃ）に示すように、同じ大きさで縦及び横に配列されて表示されるような表示画像データを作成する。
【００２５】
画像処理モジュール１４は、音声処理モジュール１３から、発言中の参加者を識別する情報及び発言中の参加者の音声レベルを受信したか否かを判断する（ステップＳ２３）。画像処理モジュール１４は、発言中の参加者を識別する情報及び発言中の参加者の音声レベルを受信すると、拡大率設定手段４１によって、発言中の参加者の拡大率を設定し、画面作成手段４２によって、ステップＳ２２で作成された表示画面データに変更を加え、拡大率設定手段４１によって設定された拡大率で、発言中の参加者の映像を拡大し、発言中の参加者が強調されて表示されるような表示画面データを作成する（ステップＳ２４）。
【００２６】
ステップＳ２４では、画像処理モジュール１４は、発言中の参加者の音声レベルが、例えば発言中を示すレベル５から無言を示すレベル０に下降した場合には、その時点から、所定時間が経過するまでは、レベル５に対応した拡大率で参加者を表示する表示画面データを作成する。ステップＳ２４では、画像処理モジュール１４は、最新の発言者の映像が最前面に表示されるような表示画面データを作成する。また、画像処理モジュール１４は、発言中の参加者に対応するフレームの色を赤とする表示画像データを作成する。或いは、画像処理モジュール１４は、発言中の参加者に対応するフレームの色を赤で点滅表示させる表示画像データを作成する
【００２７】
図４（ａ）〜（ｃ）は、それぞれ、表示画面データ中の参加者の映像を示している。例えば、参加者が発言中でないときには、同図（ａ）に示すように、ステップＳ２２で作成される表示画面データ中におけるその参加者の映像サイズ（表示サイズ）が１６０×１２０であったとする。この参加者が、発言し、その発言の音声レベルが例えば１０段階の５であったときには、ステップＳ２４では、参加者の映像が、同図（ｂ）に示すように、同図（ａ）での表示サイズに対して縦及び横にそれぞれ１．５倍に拡大されて、表示サイズが２４０×１８０となるような表示画面データが作成される。
【００２８】
または、上記に代えて、例えば図４（ｃ）に示すように、同図（ａ）中の点線で囲んだ範囲を切り出し範囲として設定し、この切り出し範囲内の映像を拡大し、２４０×１８０の表示サイズで表示するような表示画面データを作成してもよい。この場合の映像の拡大率は、元の表示サイズを基準とすれば、１．５倍であるが、切り出し範囲を基準とすれば、１．５倍以上の拡大率となる。画像処理モジュール１４は、例えば、参加者の音声レベルが５以下のときには、同図（ｂ）に示すように参加者の映像全体を拡大し、音声レベルが５を超えるときには、より、参加者を強調するために、同図（ｃ）に示すように、参加者の映像の一部を拡大してモニタ２０上に表示させることができる。
【００２９】
図５（ａ）〜（ｃ）は、それぞれ、ステップＳ２４で作成される表示画面データの例を示している。例えば、ステップＳ２２で図３（ａ）に示す表示画面データが作成されていたときに、参加者Ｃ及びＤが発言したとすると、ステップＳ２４では、図５（ａ）に示すように、参加者Ｃ及びＤについては、その表示位置及び表示の大きさに変更が加えられ、参加者Ｃ及びＤの映像が、参加者Ａ及びＢの映像に比して強調されるような表示画像データが作成される。図５（ａ）の例では、最新の発言者は参加者Ｄであり、参加者Ｄの音声レベルは、参加者Ｃの音声レベルに比して大きいため、参加者Ｄが最前面に表示されるとともに、参加者Ｃに比して参加者Ｄが大きなサイズで表示されている。
【００３０】
上記とは異なり、例えばステップＳ２２で図３（ｂ）に示す表示画面データが作成されていたとき、参加者Ｂが発言したとすると、ステップＳ２４では、図５（ｂ）に示すように、参加者Ｂの映像が、その音声レベルに応じて拡大された表示画像データが作成される。また、例えばステップＳ２２で図３（ｃ）に示す表示画面データが作成されていたとき、参加者Ｆ、参加者Ｇ、及び、参加者Ｏが発言したとすると、ステップＳ２４では、図５（ｃ）に示すように、参加者Ｆ、参加者Ｇ、及び、参加者Ｏの映像が、それぞれの音声レベルに応じて拡大され、それら発言者が前面側にポップアップしたような表示画像データが作成される。
【００３１】
画像処理モジュール１４は、画面作成手段４２によって作成した表示画面データを、出力インターフェース１６を介して、モニタ２０へ出力する（ステップＳ２５）。画像処理モジュール１４は、ステップＳ２３で、音声処理モジュール１３から、発言中の参加者を識別する情報及び発言中の参加者の音声レベルを受信しないときには、ステップＳ２２で作成した表示画像データをモニタ２０に出力し、ステップＳ２３で、音声処理モジュール１３から、発言中の参加者を識別する情報及び発言中の参加者の音声レベルを受信したときには、ステップＳ２４で変更が加えられた表示画像データをモニタ２０に出力する。
【００３２】
本実施形態例では、音声処理モジュール１３は、発言者の音声レベルに応じて発言中の参加者を特定し、画像処理モジュール１４は、発言中の参加者の映像サイズを音声レベルに応じて拡大して表示し、発言中の参加者を表示するフレームを赤で点滅表示する表示画面データを作成する。これにより、遠隔会議システム１００では、発言者に注目を集めることが容易となり、遠隔会議の臨場感を高めることができると共に、会議進行を円滑に行うことができる。
【００３３】
本実施形態例では、発言した参加者の映像は、発言があった時点から所定時間継続して拡大表示されるため、例えば複数の参加者間で議論が行われたときには、各参加者は、現在、誰と誰が議論しているかを容易に判別することができる。このとき、画像処理モジュール１４は、最新の発言者の映像を最前面に表示するような表示画面データを作成するため、各参加者は、「誰が発言した後で誰が発言し、さらに誰が発言している」といった経緯を、容易に識別することができる。また、議論が白熱した際には、発言者が入れ替わるたびに最前面に表示される参加者の映像が入れ替わり、視覚的な効果によって、臨場感のある会議を演出できる。
【００３４】
また、本実施形態例では、音声処理モジュール１３と画像処理モジュール１４とが別スレッドとして起動し、画像処理モジュール１４が出力する表示画面データは、クライアント端末１０を使用する参加者によってカスタマイズが可能である。本実施形態例では、この構成により、各参加者は、音声処理モジュール１３から発言中の参加者を識別する情報、及び、発言の音声レベルを受信した画像処理モジュール１４がどのような表示画面データを作成するかを、動的に設定することができる。
【００３５】
例えば、参加者Ａ、参加者Ｂ、及び、参加者Ｃが含まれる例について考える。この場合において、参加者Ｃが音声レベル５で発言中であるとき、参加者Ａが使用するクライアント端末１０のモニタ２０上に表示される参加者Ｃの映像サイズと、参加者Ｂが使用するクライアント端末１０のモニタ２０上に表示される参加者Ｃの映像サイズとは、相互に異なるサイズとすることができる。また、参加者Ｂは、参加者Ｃの映像が拡大されることをわずらわしく感じたときには、任意の時点で、自身が使用するクライアント端末１０のモニタ２０上では、参加者Ｃの映像を音声レベルに応じて拡大しないように設定することができ、或いは、音声レベルに対する参加者Ｃの映像サイズの拡大率を小さくすることができる。
【００３６】
図６及び図７は、それぞれ、本発明の別の実施形態例の遠隔会議システムの構成を示している。図１では、各クライアント端末１０は同じネットワーク２１に接続されたが、本発明の遠隔会議システムは、図６に示すように、それぞれ、複数のクライアント端末１０が接続されたネットワーク２１（１）及び２１（２）を、インターネット等のネットワーク２１（３）を介して相互に接続した構成とすることもできる。
【００３７】
また、本発明の遠隔会議システムは、サーバ・クライアント方式で構成することもできる。この場合には、図７に示すように、それぞれ、複数のクライアント端末１０が接続されたネットワーク２１（１）及び２１（２）を、インターネット等のネットワーク２１（４）を介して、ネットワーク２１（３）に接続されたサーバに接続した構成とすることができる。遠隔会議システムをサーバ・クライアント方式で構成する場合には、各参加者の音声及び映像は、サーバ２２に集められ、サーバ２２から、各クライアント端末１０に配信される。また、各クライアント端末１０の画像処理モジュール１４は、サーバ２２から発言中の参加者を識別する情報及びその参加者の音声レベルを受信して、表示画像データを作成する。
【００３８】
以上、本発明をその好適な実施形態例に基づいて説明したが、本発明の遠隔会議システムは、上記実施形態例にのみ限定されるものではなく、上記実施形態例の構成から種々の修正及び変更を施したものも、本発明の範囲に含まれる。例えば、クライアント端末１０は、携帯電話等の移動通信機器として構成することもできる。
【図面の簡単な説明】
【００３９】
【図１】本発明の一実施形態例の遠隔会議システムの構成を示すブロック図。
【図２】音声処理モジュール及び画像処理モジュールの処理手順例を示すフローチャート。
【図３】（ａ）〜（ｃ）は、それぞれ、ステップＳ２２で作成される表示画面データの例を示す画面例。
【図４】（ａ）〜（ｃ）は、それぞれ、表示画面データ中の参加者の映像を示す画面例。
【図５】（ａ）〜（ｃ）は、それぞれ、ステップＳ２４で作成される表示画面データの例を示す画面例。
【図６】本発明の別の実施形態例の遠隔会議システムの構成を示すブロック図。
【図７】本発明の別の実施形態例の遠隔会議システムの構成を示すブロック図。
【符号の説明】
【００４０】
１０：クライアント端末
１１：コンピュータ
１２：入出力インターフェース
１３：音声処理モジュール
１４：画像処理モジュール
１５：入力インターフェース
１６：出力インターフェース
１７：マイク
１８：カメラ
１９：スピーカ
２０：モニタ
２１：ネットワーク
２２：サーバ
３１：音声レベル測定手段
４１：拡大率設定手段
４２：画面作成手段
１００：遠隔会議システム
【図１】
2005151002.tif 000003
【図２】
2005151002.tif 000004
【図３】
2005151002.tif 000005
【図４】
2005151002.tif 000006
【図５】
2005151002.tif 000007
【図６】
2005151002.tif 000008
【図７】
2005151002.tif 000009